(57)【要約】  列車の車両に係る情報を制御する車両情報制御装置を備える車両情報制御システムであって、列車の運行に係る運行情報と、列車の機器の操作に係る操作情報と、列車の動作に係る動作情報とを入力とし、運行情報と操作情報と動作情報とに応じて設けられる列車の運用状態に応じて、列車に接続されている複数のカメラから車両情報制御装置に接続されている表示装置に表示する画像のカメラを選定することにより、車両情報制御装置の通信に係るデータのデータ量を制御する制御部を設けるようにした。
2020153019.tif 000002
【特許請求の範囲】
【請求項１】
列車の車両に係る情報を制御する車両情報制御装置を備える車両情報制御システムであって、
前記列車の運行に係る運行情報と、前記列車の機器の操作に係る操作情報と、前記列車の動作に係る動作情報とを入力とし、前記運行情報と前記操作情報と前記動作情報とに応じて設けられる前記列車の運用状態に応じて、前記列車に接続されている複数のカメラから前記車両情報制御装置に接続されている表示装置に表示する画像のカメラを選定することにより、前記車両情報制御装置の通信に係るデータのデータ量を制御する制御部を備える、
ことを特徴とする車両情報制御システム。
【請求項２】
前記表示装置に表示される画面には、前記列車の運用状態において、主として用いられる第１の表示領域と、従として用いられる第２の表示領域とが設けられ、
前記運行情報と前記操作情報と前記動作情報とに応じて規定され、前記第１の表示領域または前記第２の表示領域が対応付けられ、前記表示装置に表示する画像を特定可能な特定情報を有し、
前記制御部は、前記特定情報に基づいて、前記第１の表示領域に表示する画像のデータ量を前記第２の表示領域に表示する画像のデータ量より優先することで、前記車両情報制御装置が通信する画像のデータ量を、画像の通信用に割り当てられているデータ帯域におさめる、
ことを特徴とする請求項１に記載の車両情報制御システム。
【請求項３】
前記制御部は、画像の通信用に割り当てられているデータ帯域におさまるデータ量を、特定したカメラに通知し、
通知を受けたカメラは、通知されたデータ量の画像を前記制御部に送信する、
ことを特徴とする請求項１に記載の車両情報制御システム。
【請求項４】
前記表示装置は、前記列車の操作者が乗車する車両に設けられ、
前記制御部は、特定したカメラの画像を前記表示装置に送信し、
前記表示装置は、受信した画像を表示する、
ことを特徴とする請求項１に記載の車両情報制御システム。
【請求項５】
列車の車両に係る情報を制御する車両情報制御装置であって、
前記列車の運行に係る運行情報と、前記列車の機器の操作に係る操作情報と、前記列車の動作に係る動作情報とを入力とし、前記運行情報と前記操作情報と前記動作情報とに応じて設けられる前記列車の運用状態に応じて、前記列車に接続されている複数のカメラから前記車両情報制御装置に接続されている表示装置に表示する画像のカメラを選定することにより、前記車両情報制御装置の通信に係るデータのデータ量を制御する制御部を備える、
ことを特徴とする車両情報制御装置。
【請求項６】
列車の車両に係る情報を制御する車両情報制御装置を備える車両情報制御システムにおける車両情報制御方法であって、
制御部が、前記列車の運行に係る運行情報と、前記列車の機器の操作に係る操作情報と、前記列車の動作に係る動作情報とを入力する第１のステップと、
前記制御部が、前記運行情報と前記操作情報と前記動作情報とに応じて設けられる前記列車の運用状態に応じて、前記列車に接続されている複数のカメラから前記車両情報制御装置に接続されている表示装置に表示する画像のカメラを選定することにより、前記車両情報制御装置の通信に係るデータのデータ量を制御する第２のステップと、
を備えることを特徴とする車両情報制御方法。
【発明の詳細な説明】
【技術分野】
【０００１】
本発明は車両情報制御システム等に関し、例えば列車の車両に係る情報を制御する車両情報制御システム等に適用して好適なものである。
【背景技術】
【０００２】
一般的に、鉄道車両運用に係り、列車の状態情報に基づいて運転台表示器に画像表示を行う乗務員支援機能としては、車両外、客室内、デッキ等に設置した監視カメラ画像を運転台表示器に表示している。【０００３】
この種の技術としては、特許文献１に記載されるように、Ａ−ＮＤＲ７は、ＮＤＲ４からの映像データの録画を行う際に、映像データそれぞれに重要度のランク付けを行い、制御装置５は、車両外部への転送時は、重要度のランクが高い順に映像データを読み出すように制御する技術がある。【０００４】
また、特許文献２に記載されるように、測定されたトラフィック量と、記憶された優先度とから、ポート毎に、当該ポートから送信できるパケットの最大トラフィック量を超えないように、発信元アドレス毎に上限値を設定する技術がある。【０００５】
また、特許文献３に記載されるように、メイン画面の映像がなぜ優先的に表示されているかを容易に認識でき、より重大な事故や障害を優先的に表示できる技術がある。【０００６】
また、特許文献４に記載されるように、伝送が行われる予定であった位置に特定の経路を介して移動装置（３）が到着している場合にのみ伝送をデータ伝送手段（９）によって可能にする技術がある。
【先行技術文献】
【特許文献】
【０００７】
【特許文献１】特許第４６０３６０３号公報
【特許文献２】特許第４９０２４８４号公報
【特許文献３】特開２００４−１０４３９８号公報
【特許文献４】特許第５２２７４０９号公報
【発明の概要】
【発明が解決しようとする課題】
【０００８】
上記技術を用いれば、車両の各箇所に配置されたカメラの画像または映像を乗務員に表示することは可能であるが、車両の各箇所に配置された複数カメラの画像データが車両内の通信網に大量に流れることにより、列車の運用状態に合わせて乗務員が確認したい画像データが欠落する可能性がある。【０００９】
本発明は以上の点を考慮してなされたもので、列車の運用状態に合わせて通信に係るデータのデータ量を制御し得る車両情報制御システム等を提案しようとするものである。
【課題を解決するための手段】
【００１０】
かかる課題を解決するため本発明においては、列車の車両に係る情報を制御する車両情報制御装置を備える車両情報制御システムであって、前記列車の運行に係る運行情報と、前記列車の機器の操作に係る操作情報と、前記列車の動作に係る動作情報とを入力とし、前記運行情報と前記操作情報と前記動作情報とに応じて設けられる前記列車の運用状態に応じて、前記列車に接続されている複数のカメラから前記車両情報制御装置に接続されている表示装置に表示する画像のカメラを選定することにより、前記車両情報制御装置の通信に係るデータのデータ量を制御する制御部を設けるようにした。【００１１】
上記構成によれば、例えば、運用状態に応じてカメラを選定し、表示する必要のない画像データの通信を抑止することで、不要な画像データが通信網に大量に流れることにより、乗務員が確認したい画像が欠落する事態を回避できるようになる。
【発明の効果】
【００１２】
本発明によれば、所定の画像が欠落してしまう事態を回避することができる。
【図面の簡単な説明】
【００１３】
【図１】第１の実施の形態による車両情報制御システムに係る構成の一例を示す図である。
【図２】第１の実施の形態による車両情報制御装置に係る構成の一例を示す図である。
【図３】第１の実施の形態によるカメラ選定情報の一例を示す図である。
【図４】第１の実施の形態による運用状態推定処理に係るフローチャートの一例を示す図である。
【図５】第１の実施の形態によるデータ量決定処理に係るフローチャートの一例を示す図である。
【図６】第１の実施の形態によるデータ量通知処理に係るフローチャートの一例を示す図である。
【図７】第１の実施の形態による表示データ送信処理に係るフローチャートの一例を示す図である。
【図８】第１の実施の形態による画面表示の一例を示す図である。
【図９】第１の実施の形態による運転台表示器に表示された画像の一例を示す図である。
【発明を実施するための形態】
【００１４】
以下図面について、本発明の一実施の形態を詳述する。本本実施の形態は、列車の車両に係る情報を制御する車両情報制御装置に関し、本実施の形態では、特に、列車の運用を制御（運用支援制御）する方法とシステム内のデータ量を制御（カメラ画像のデータ量の制御）する方法について説明する。
【００１５】
なお、以下の説明では、同種の要素を区別しないで説明する場合には、枝番を含む参照符号のうちの共通部分（枝番を除く部分）を使用し、同種の要素を区別して説明する場合は、枝番を含む参照符号を使用することがある。例えば、車両情報制御装置を特に区別しないで説明する場合には、「車両情報制御装置１１１」と記載し、個々の車両情報制御装置を区別して説明する場合には、「車両情報制御装置１１１−１」、「車両情報制御装置１１１−２」のように記載することがある。
【００１６】
（１）第１の実施の形態
図１において、１００は全体として第１の実施の形態による車両情報制御システムを示す。
【００１７】
図１は、車両情報制御システム１００に係る構成の一例を示す図である。車両情報制御システム１００は、列車の運用を支援するための画像を表示する運用支援画像表示システム１１０を含んで構成される。運用支援画像表示システム１１０は、列車の運用状態に合わせて、各所に配置された複数のカメラの画像（以下では、カメラ画像と称することもある。）を表示装置に表示する構成を有する。なお、これらのカメラには各画像データを記録するストレージを各々有しており、記録したデータは取り出しができるものとする。
【００１８】
運用支援画像表示システム１１０において、列車の先頭車両（１号車）には、車両情報制御装置１１１−１および運転台表示器１１２−１が搭載され、中間車両（２号車など）には、車両情報制御装置１１１−２が搭載され、列車の先頭車両（Ｎ号車）には、車両情報制御装置１１１−３、運転台表示器１１２−３が搭載されている。
【００１９】
車両情報制御装置１１１は、車両間のネットワークで順次に接続されている。車両情報制御装置１１１は、各車両の動作情報と機器情報とを授受し、収集、管理し、制御情報を伝達し、列車の制御を行うと共に、車両の状態情報、故障情報、制御情報などを運転台表示器１１２に表示する。
【００２０】
車両情報制御装置１１１は、プリント基板等のコントローラであり、プロセッサなどの処理部１１３と、メモリなどの記憶部１１４とを含んで構成される。
【００２１】
車両情報制御装置１１１の機能（後述の制御部２００、運用状態推定部２０１、カメラ画像データ量決定部２０２、カメラ画像データ量通知部２０３、カメラ画像表示データ送信部２０４など）は、例えば、処理部１１３がプログラムを記憶部１１４に読み出して実行すること（ソフトウェア）により実現されてもよいし、専用の回路などのハードウェアにより実現されてもよいし、ソフトウェアとハードウェアとが組み合わされて実現されてもよい。また、車両情報制御装置１１１の機能の一部は、車両情報制御装置１１１と通信可能な他のコンピュータにより実現されてもよい。
【００２２】
車両情報制御装置１１１は、各車両の操作スイッチ、回路、機器などの構成要素と接続されている。
【００２３】
例えば、車両情報制御装置１１１−１，１１１−３は、マスターコントローラ１２０−１，１２０−３、扉１２１−１，１２１−３、各種機器１２２−１，１２２−３、放送装置１２３−１，１２３−３（放送装置および自動放送装置）、速度発電機等１２４−１，１２４−３（速度発電機、接続機器など）、非常通報装置１２５−１，１２５−３、各種スイッチ１２６−１，１２６−３、各種操作コック１２７−１，１２７−３、電気連結器１２８−１，１２８−３と車両内のネットワークで接続されている。
【００２４】
また、例えば、車両情報制御装置１１１−２は、扉１２１−２、各種機器１２２−２、非常通報装置１２５−２、各種スイッチ１２６−２、各種操作コック１２７−２、パンタグラフ１２９と車両内のネットワークで接続されている。
【００２５】
また、車両情報制御装置１１１は、車両の各箇所に配置されたカメラと接続されている。なお、車両情報制御装置１１１は、車両外の各箇所に配置されたカメラと接続されていてもよい。
【００２６】
例えば、車両情報制御装置１１１−１，１１１−３は、前方向を撮影するカメラ１３０−１，１３０−３（前方向状況を確認するためのカメラ）、停車目標位置を撮影するためのカメラ１３１−１，１３１−３、電気連結器１２８−１，１２８−３を撮影するカメラ１３２−１，１３２−３、非常通報装置１２５−１，１２５−３を撮影するカメラ１３３−１，１３３−３、各種スイッチ１２６−１，１２６−３を撮影するカメラ１３４−１，１３４−３、車両の側面を撮影するカメラ１３５−１，１３５−３、荷棚、座席下等を撮影するカメラ１３６−１，１３６−３、扉１２１−１，１２１−３を撮影するカメラ１３７−１，１３７−３、各種操作コック１２７−１，１２７−３を撮影するカメラ１３８−１，１３８−３と車両内のネットワークで接続されている。
【００２７】
また、例えば、車両情報制御装置１１１−２は、非常通報装置１２５−２を撮影するカメラ１３３−２、各種スイッチ１２６−２を撮影するカメラ１３４−２，荷棚、座席下等を撮影するカメラ１３６−２、扉１２１−２を撮影するカメラ１３７−２、各種操作コック１２７−２を撮影するカメラ１３８−２，パンタグラフ１２９を撮影するカメラ１３９と車両内のネットワークで接続されている。
【００２８】
運転台表示器１１２は、表示装置の一例であり、各種の情報を表示するディスプレイを含んで構成される。なお、表示装置は、車両内に設けられていてもよいし、車両外（ホーム、監視室など）に設けられていてもよい。
【００２９】
付言するならば、本実施の形態では、放送装置１２３、または図示していない運転台のスピーカを通して報知が行われる。
【００３０】
図２は、車両情報制御装置１１１に係る構成の一例を示す図である、車両情報制御装置１１１は、制御部２００を有する。
【００３１】
制御部２００は、列車の運用状態に応じ、車両の各箇所に配置されたカメラの画像から運転台表示器１１２に表示する画像を選択送信する機能、運転台表示器１１２に表示するための画像のデータ量を通知する機能などを備えている。
【００３２】
より具体的には、制御部２００は、運用状態推定部２０１、カメラ画像データ量決定部２０２、カメラ画像データ量通知部２０３、およびカメラ画像表示データ送信部２０４を備える。
【００３３】
運用状態推定部２０１は、列車の運行に係る運行情報と、列車の機器の操作に係る操作情報と、列車の動作に係る動作情報に基づいて、列車の運用状態を推定（判別）する。
【００３４】
カメラ画像データ量決定部２０２は、運用状態推定部２０１による推定結果に基づいて、列車の運用状態に応じたカメラの画像のデータ量（カメラ画像データ量）を決定する。また、カメラ画像データ量決定部２０２は、決定したデータ量の画像の表示データ（画像データであってもよい。）を運転台表示器１１２に送信する旨の指令（画像表示指令）をカメラ画像表示データ送信部２０４に送信する。
【００３５】
カメラ画像データ量通知部２０３は、カメラ画像データ量決定部２０２により決定されたデータ量を対象のカメラに通知する。なお、通知を受けたカメラは、撮像した画像を決定されたデータ量にして車両情報制御装置１１１に送信する。付言するならば、通知を受けたカメラは、例えば、撮像した画像のデータ量を削減する場合、画像を粗くしたり、画像のサイズを小さくしたりする等、公知の技術を用いてデータ量を削減する。
【００３６】
カメラ画像表示データ送信部２０４は、画像表示指令に基づいて、車両の各箇所に配置されたカメラから受信した画像データを表示データとして運転台表示器１１２に送信する。
【００３７】
次に、記憶部１１４に記憶されているデータについて説明する。
【００３８】
図３は、カメラ選定情報の一例（カメラ選定テーブル３００）を示す図である。カメラ選定テーブル３００は、列車の運用状態に応じて、運転台表示器１１２に表示する画像を撮像したカメラを選定するための情報が格納される。
【００３９】
カメラ選定テーブル３００には、列車の運用状態３０１ごとに、運行情報３０２と、操作情報３０３と、動作情報３０４と、メイン画像カメラ情報３０５と、サブ画像カメラ情報３０６とが対応付けられて格納されている。
【００４０】
運用状態３０１は、運行情報３０２と、操作情報３０３と、動作情報３０４とにより識別される列車の運用状態を示す。運行情報３０２は、列車の運行に係る情報（現在駅、列車速度、走行距離など）である。操作情報３０３は、列車の機器の操作に係る操作情報（マスターコントローラ１２０の操作情報、各種スイッチ１２６の操作情報、各種操作コック１２７の操作情報など）である。動作情報３０４は、列車の動作に係る動作情報（扉１２１の動作情報、各種機器１２２の動作情報、非常通報装置１２５の動作情報、パンタグラフ１２９の動作情報など）である。メイン画像カメラ情報３０５は、メイン画像として運転台表示器１１２に表示する画像を特定可能な特定情報の一例であり、例えば、カメラの識別情報（本例では、カメラ番号を示しているが、カメラ名などであってもよい。）である。サブ画像カメラ情報３０６は、サブ画像として運転台表示器１１２に表示する画像を特定可能な特定情報の一例であり、例えば、カメラの識別情報である。
【００４１】
次に、列車の運用状態を推定する処理（運用状態推定処理）について説明する。
【００４２】
図４は、運用状態推定部２０１にて実行される運用状態推定処理に係るフローチャートの一例を示す図である。運用状態推定処理は、所定の時間間隔で（定期的に）実行されている。
【００４３】
ステップＳ４０１では、運用状態推定部２０１は、入力される列車の運行情報から走行路線情報（例えば、列車番号、時刻表情報、列車種別、現在駅、次停車駅、編成分割／併結運用等の特殊運用実施駅など）を取得し、列車の運用状態の推定要素の１つとして用いる。
【００４４】
ステップＳ４０２では、運用状態推定部２０１は、入力される速度発電機等１２４（速度発電機、接続機器など）から得られる列車の速度情報をもとに、列車の走行距離の演算を行い、自列車の位置および列車の走行状態を特定し、列車の運用状態の推定要素の１つとして用いる。
【００４５】
ステップＳ４０３において、運用状態推定部２０１は、入力される乗務員の操作情報（例えば、マスターコントローラ１２０の操作情報、各種スイッチ１２６の操作情報、各種操作コック１２７の操作情報）を取得し、列車の運用状態の推定要素の１つとして用いる。
【００４６】
ステップＳ４０４において、運用状態推定部２０１は、入力される列車の動作情報（例えば、各種車両回路の動作情報（扉１２１、パンタグラフ１２９等の動作情報）、各種機器１２２の動作情報、故障情報など）を取得し、列車の運用状態の推定要素の１つとして用いる。
【００４７】
ステップＳ４０５において、運用状態推定部２０１は、上述のステップＳ４０１〜ステップＳ４０４において取得した情報に基づいて、自列車の運用状態を推定し、推定した結果をカメラ画像データ量決定部２０２に通知する。例えば、運用状態推定部２０１は、カメラ選定テーブル３００を用いて、取得した運行情報、操作情報、動作情報に応じて規定される列車の運用状態を取得する。
【００４８】
以上により、運用状態推定部２０１における一連の処理が終了する。
【００４９】
次に、カメラ画像データ量決定部２０２が列車の運用状態に基づいて運転台表示器１１２に表示する画像のデータ量を決定する処理（データ量決定処理）について説明する。データ量決定処理は、例えば、運用状態推定部２０１により列車の運用状態の推定結果がカメラ画像データ量決定部２０２に通知されることを契機に開始される。
【００５０】
図５は、カメラ画像データ量決定部２０２によって実行されるデータ量決定処理に係るフローチャートの一例を示す図である。
【００５１】
ここで、車両情報制御装置１１１は、データ量決定処理で使用するパラメータ５００を備える。パラメータ５００は、例えば、記憶部１１４に記憶されている。パラメータ５００には、例えば、画像の通信用（画像配信用）に割り当てるデータ帯域Ｘ［ｂｉｔ／ｓｅｃ］、メイン画像の配信周期ａ［ｓｅｃ］、サブ画像の配信周期ｂ［ｓｅｃ］、メイン画像のデータ量Ａ［ｂｉｔ］、サブ画像のデータ量Ｂ［ｂｉｔ］が含まれる。
【００５２】
データ帯域Ｘは、先頭車両の車両情報制御装置１１１と中間車両の車両情報制御装置１１１とを接続するネットワークの帯域であってもよいし、先頭車両内のネットワークの帯域であってもよいし、両ネットワークの帯域うち、小さい方の帯域であってもよいし、その他の帯域であってもよい。また、データ帯域Ｘは、固定の値であってもよいし、制御情報配信用に割り当てるデータ帯域に応じて動的に変動する値であってもよい。メイン画像の配信周期ａとサブ画像の配信周期ｂとは、同じ値であってもよいし、異なる値であってもよい。メイン画像のデータ量Ａとサブ画像のデータ量Ｂとは、同じ値であってもよいし、異なる値であってもよい。
【００５３】
ステップＳ５０１では、カメラ画像データ量決定部２０２は、運用状態推定部２０１から通知される列車の運用状態の推定結果を取得する。
【００５４】
ステップＳ５０２では、カメラ画像データ量決定部２０２は、ステップＳ５０１で取得した列車の運用状態の推定結果に対応する表示候補（メイン画像およびサブ画像）を判別する。例えば、カメラ画像データ量決定部２０２は、カメラ選定テーブル３００を用いて、メイン画像に表示するための画像を配信する対象のカメラと、サブ画像に表示するための画像を配信する対象のカメラ（例えば、カメラ番号）と、サブ画像の表示数ｎとを決定する。なお、対象のカメラは、図１に示す車両の各箇所に配置された複数のカメラに対してユニークに割り振られるものとする。
【００５５】
ステップＳ５０３では、カメラ画像データ量決定部２０２は、ステップＳ５０２で決定した結果およびパラメータ５００を用いて、メイン画像のデータ帯域Ｐ（＝Ａ÷ａ）を算出する。
【００５６】
ステップＳ５０４では、カメラ画像データ量決定部２０２は、ステップＳ５０３で算出したメイン画像のデータ帯域Ｐと画像配信用に割り当てるデータ帯域Ｘとを比較する。カメラ画像データ量決定部２０２は、ＸがＰ以下であると判定した場合、ステップＳ５０５に処理を移し、ＸがＰより大きいと判定した場合、ステップＳ５０７に処理を移す。
【００５７】
ステップＳ５０５では、カメラ画像データ量決定部２０２は、メイン画像のデータ帯域情報Ｐが画像配信用に割り当てるデータ帯域Ｘ以上であるので、メイン画像のデータ量Ａ’（＝Ｘ×ａ）を算出する。
【００５８】
ステップＳ５０６では、カメラ画像データ量決定部２０２は、サブ画像のデータ量を「０（ゼロ）」として算出する。
【００５９】
ステップＳ５０７では、カメラ画像データ量決定部２０２は、メイン画像のデータ帯域Ｐが画像配信用に割り当てるデータ帯域Ｘ未満であるので、メイン画像のデータ量をＡとして算出する。
【００６０】
ステップＳ５０８では、カメラ画像データ量決定部２０２は、サブ画像のデータ量Ｂ’（＝（Ｘ−Ｐ）×ｂ÷ｎ）を算出する。
【００６１】
ステップＳ５０９では、カメラ画像データ量決定部２０２は、ステップＳ５０８で算出したサブ画像のデータ量をＢ’とサブ画像のデータ量Ｂとを比較する。カメラ画像データ量決定部２０２は、ＢがＢ’以下であると判定した場合、ステップＳ５１０に処理を移し、ＢがＢ’より大きいと判定した場合、ステップＳ５１１に処理を移す。
【００６２】
ステップＳ５１０では、カメラ画像データ量決定部２０２は、算出したサブ画像のデータ量Ｂ’がサブ画像のデータ量Ｂ以上であるので、サブ画像のデータ量をＢとして算出する。
【００６３】
ステップＳ５１１では、カメラ画像データ量決定部２０２は、算出したサブ画像のデータ量Ｂ’がサブ画像のデータ量Ｂ未満であるので、サブ画像のデータ量をＢ’として算出する。
【００６４】
例えば、列車に設けられるカメラに、異なるスペックのカメラ（例えば、高画質の画像を撮像するカメラ、低画質の画像を撮像するカメラ）が含まれる場合、上述したように、列車の運用状態に応じてデータ量を計算することが好適である。
【００６５】
以上により、カメラ画像データ量決定部２０２における一連の処理が終了する。
【００６６】
データ量決定処理では、列車の運用状態に応じて、データ量を計算する方法について説明したが、これに限られるものではない。例えば、列車の運用状態に応じて、記憶部１１４に記憶した情報を読込むことでデータ量を決定してもよい。例えば、カメラ選定テーブル３００にけるメイン画像カメラ情報３０５おいて、カメラの識別情報とデータ量とが規定され、サブ画像カメラ情報３０６おいて、カメラの識別情報とデータ量とが規定され、カメラ選定テーブル３００を用いてデータ量が決定されてもよい。
【００６７】
次に、選定したカメラに対して画像のデータ量を通知する処理（データ量通知処理）について説明する。データ量通知処理は、例えば、カメラ画像データ量決定部２０２によりメイン画像のデータ量などがカメラ画像データ量通知部２０３に通知されることを契機に開始される。
【００６８】
図６は、カメラ画像データ量通知部２０３にて実行されるデータ量通知処理に係るフローチャートの一例を示す図である。
【００６９】
ステップＳ６０１では、カメラ画像データ量通知部２０３は、カメラ画像データ量決定部２０２から通知されるメイン画像およびサブ画像の表示対象のカメラ番号および各画像のデータ量と、各画像の配信周期ａ，ｂとを取得する。
【００７０】
ステップＳ６０２では、カメラ画像データ量通知部２０３は、メイン画像の表示対象のカメラ番号のカメラに、メイン画像のデータ量を、メイン画像の配信周期ａにて通知する。
【００７１】
ステップＳ６０３では、カメラ画像データ量通知部２０３は、サブ画像の表示対象のカメラ番号のカメラに、サブ画像のデータ量を、サブ画像の配信周期ｂにて通知する。
【００７２】
以上により、カメラ画像データ量通知部２０３における一連の処理が終了する。
【００７３】
次に、運転台表示器１１２に画像の表示データを送信する処理（表示データ送信処理）について説明する、表示データ送信処理は、カメラより送信された画像データをカメラ画像表示データ送信部２０４が受信したことを契機に開始される。
【００７４】
図７は、カメラ画像表示データ送信部２０４にて実行される表示データ送信処理に係るフローチャートの一例を示す図である。
【００７５】
ステップＳ７０１では、カメラ画像表示データ送信部２０４は、車両の各カメラから画像（画像データ）を受信する。また、ステップＳ７０１では、カメラ画像表示データ送信部２０４は、カメラ画像データ量決定部２０２から通知されるメイン画像表示指令とメイン画像およびサブ画像の表示対象のカメラ番号とを受信する。
【００７６】
ステップＳ７０２では、カメラ画像表示データ送信部２０４は、メイン画像の表示対象のカメラから受信した画像データをメイン画像表示指令とともに表示データとして運転台表示器１１２に送信する。
【００７７】
ステップＳ７０３では、カメラ画像表示データ送信部２０４は、サブ画像の表示対象のカメラから受信した画像データをサブ画像表示指令とともに表示データとして運転台表示器１１２に送信する。
【００７８】
以上により、カメラ画像表示データ送信部２０４における一連の処理が終了する。
【００７９】
次に、運転台表示器１１２における、列車の運用を支援するカメラの画像（運用支援カメラ画像）の画面表示について説明する。
【００８０】
図８は、運用支援カメラ画像の画面表示の一例（運用支援カメラ画像表示画面８００）を示す図である。
【００８１】
運用支援カメラ画像表示画面８００では、メイン画像表示指令に基づいてメイン画像を表示するためのメイン画像表示領域８０１と、サブ画像表示指令に基づいてサブ画像を表示するためのサブ画像表示領域８０２とを含んで構成される。
【００８２】
図９は、運転台表示器１１２に表示された画像（メイン画像およびサブ画像）の一例を示す図である。
【００８３】
Ａ駅から列車が出発し、列車速度がＣｋｍ／ｈに達する第１の運用状態では、乗務員による各種操作が行われる推定で、メイン画像として、各種スイッチ１２６を撮影するカメラ１３４のカメラ画像９０１が表示され、第１のサブ画像として、乗務員による各種操作が行われる推定で、各種操作コック１２７を撮影するカメラ１３８のカメラ画像９０２が表示され、第２のサブ画像として。列車の発車後に乗客などの扉１２１への挟まりの可能性を推定して、扉１２１を撮影するカメラ１３７のカメラ画像９０３が表示された。
【００８４】
列車速度がＣｋｍ／ｈに達した第２の運用状態では、速度が速い状態であるため、列車正面と障害物との衝突による事態を推定し、メイン画像として、前方向状況を確認するためのカメラ１３０のカメラ画像９１１が表示され、第１のサブ画像として、列車側面と障害物との衝突による事態を推定し、車両の側面を撮影するカメラ１３５のカメラ画像９１２が表示され、第２のサブ画像として、乗務員による各種操作が行われる推定で、各種スイッチ１２６を撮影するカメラ１３４のカメラ画像９１３が表示された。
【００８５】
Ｂ駅への到着が近くなり、列車速度がＣｋｍ／ｈから減速が開始された第３の運用状態では、駅への停車を推定し、メイン画像として、停車目標位置を撮影するためのカメラ１３１のカメラ画像９２１が表示され、第１のサブ画像として、駅のホームに列車が進入した際に列車側面と障害物との衝突による事態を推定し、車両の側面を撮影するカメラ１３５のカメラ画像９２２が表示され、第２のサブ画像として、駅への到着後に扉１２１が開く際の乗客の接触防止を監視する推定で、扉１２１を撮影するカメラ１３７のカメラ画像９２３が表示された。
【００８６】
上述の例では、各運用状態が継続するケースについて説明したが、これに限られるものではない。例えば、第１の運用状態において、非常通報装置１２５が作動して他の運用状態になったときには、メイン画像、サブ画像は、他の運用状態に対応した画像に切り替えられる。
【００８７】
このように、列車の運用状態に合わせて画像のデータ量を制御することで、車両内の通信網で逼迫しても、列車の運用状態に合わせて乗務員が確認したい画像を優先できるようになる。
【００８８】
上述した構成によれば、列車の運用状態に合わせて画像のデータ量を制御することで、列車の運用状態に合わせて乗務員が確認したい画像のデータ量を車両内の通信網に流す指令を各カメラへ行うことができ、当該画像の車両内の通信網での欠落防止効果が期待できる。
【００８９】
本実施の形態によれば、列車の運用状態を推定し、車両各箇所に配置されたカメラ画像の中から運用状態に応じて運転台表示器に画面表示するために必要なデータ量を制御することにより、画面表示する必要のないカメラから画像データの送信を抑止することができる。また、画面表示する必要のある画像データの中でも、メイン画像に表示する画像の通信に用いるデータ帯域を優先して確保することができる。
【００９０】
（２）他の実施の形態
なお上述の実施の形態においては、本発明を車両情報制御システムに適用するようにした場合について述べたが、本発明はこれに限らず、この他種々のシステム、装置、方法、プログラムに広く適用することができる。
【００９１】
また上述の実施の形態においては、カメラに画像データの送信を許可する場合について述べたが、本発明はこれに限らず、例えば、各カメラは、接続されている車両情報制御装置１１１に画像データを送信し、各車両情報制御装置１１１は、画像データを受信して記憶部１１４に記憶し、データ量の制御を行う車両情報制御装置１１１（車両情報制御装置１１１−１、車両情報制御装置１１１−２、または車両情報制御装置１１１−３）は、決定したデータ量の画像データを各車両情報制御装置１１１から取得するようにしてもよい。
【００９２】
また上述の実施の形態において、メイン画像表示領域８０１は、サブ画像表示領域８０２よりも大きくてもよいし、メイン画像表示領域８０１とサブ画像表示領域８０２とは、同じ大きさであってもよい。同じ大きさである場合、例えば、メイン画像表示領域８０１を運用支援カメラ画像表示画面８００の中央に配置し、サブ画像表示領域８０２をメイン画像表示領域８０１の周囲に配置してもよい。なお、運用支援カメラ画像表示画面８００におけるメイン画像表示領域８０１およびサブ画像表示領域８０２は、特定の位置、大きさ、配置に限定されるものではない。
【００９３】
また上述の実施の形態において、メイン画像表示領域８０１は、１つ設けられていてもよいし、複数設けられていてもよい。サブ画像表示領域８０２は、１つ設けられていてもよいし、複数設けられていてもよい。メイン画像表示領域８０１とサブ画像表示領域８０２との区別がなくてもよい（例えば、サブ画像表示領域８０２が設けられていなくてもよい）。
【００９４】
また、上述の実施の形態において、「記憶部」は、メモリ部とＰＤＥＶ部の少なくとも一部とのうちの少なくとも１つ（典型的には少なくともメモリ部）である。
【００９５】
また、上述の実施の形態において、「メモリ部」は、１以上のメモリであり、典型的には主記憶デバイスでよい。メモリ部における少なくとも１つのメモリは、揮発性メモリであってもよいし不揮発性メモリであってもよい。
【００９６】
また、上述の実施の形態において、「ＰＤＥＶ部」は、１以上のＰＤＥＶであり、典型的には補助記憶デバイスでよい。「ＰＤＥＶ」は、物理的な記憶デバイス（Physical storage DEVice）を意味し、典型的には、不揮発性の記憶デバイス、例えばＨＤＤ（Hard Disk Drive）又はＳＳＤ（Solid State Drive）である。
【００９７】
また、上述の実施の形態において、「処理部」は、１以上のプロセッサである。少なくとも１つのプロセッサは、典型的には、ＣＰＵ（Central Processing Unit）のようなマイクロプロセッサであるが、ＧＰＵ（Graphics Processing Unit）のような他種のプロセッサでもよい。少なくとも１つのプロセッサは、シングルコアでもよいしマルチコアでもよい。少なくとも１つのプロセッサは、処理の一部又は全部を行うハードウェア回路（例えばＦＰＧＡ（Field-Programmable Gate Array）又はＡＳＩＣ（Application Specific Integrated Circuit））といった広義のプロセッサでもよい。
【００９８】
また、上述の実施の形態において、「プログラム」を主語として処理を説明する場合があるが、プログラムは、処理部によって実行されることで、定められた処理を、適宜に記憶部（例えばメモリ）及び／又はインターフェース部（例えば通信ポート）等を用いながら行うため、処理の主語がプロセッサとされてもよい。プログラムを主語として説明された処理は、処理部あるいはその処理部を有する装置が行う処理としてもよい。また、処理部は、処理の一部又は全部を行うハードウェア回路（例えばＦＰＧＡ（Field-Programmable Gate Array）またはＡＳＩＣ（Application Specific Integrated Circuit））を含んでもよい。プログラムは、プログラムソースから計算機のような装置にインストールされてもよい。プログラムソースは、例えば、プログラム配布サーバまたは計算機が読み取り可能な記録媒体（例えば非一時的な記録媒体）であってもよい。また、以下の説明において、２以上のプログラムが１つのプログラムとして実現されてもよいし、１つのプログラムが２以上のプログラムとして実現されてもよい。
【００９９】
また、上述の実施の形態において、各テーブルの構成は一例であり、１つのテーブルは、２以上のテーブルに分割されてもよいし、２以上のテーブルの全部または一部が１つのテーブルであってもよい。
【０１００】
また、上述の実施の形態において、説明の便宜上、ＸＸテーブル、ＸＸ指令を用いて各種のデータを説明したが、データ構造は限定されるものではなく、ＸＸ情報などと表現してもよい。
【０１０１】
また、上記の説明において、各機能を実現するプログラム、テーブル、ファイル等の情報は、メモリや、ハードディスク、ＳＳＤ（Solid State Drive）等の記憶装置、または、ＩＣカード、ＳＤカード、ＤＶＤ等の記録媒体に置くことができる。
【０１０２】
また、上述した実施の形態には、例えば、下記の特徴的構成が含まれる。
【０１０３】
例えば、列車の車両に係る情報を制御する車両情報制御装置（例えば、車両情報制御装置１１１）を備える車両情報制御システム（車両情報制御システム１００）であって、上記列車の運行に係る運行情報（例えば、運行情報３０２）と、上記列車の機器の操作に係る操作情報（例えば、操作情報３０３）と、上記列車の動作に係る動作情報（例えば、動作情報３０４）とを入力とし、上記運行情報と上記操作情報と上記動作情報とに応じて設けられる上記列車の運用状態（例えば、列車の運用状態３０１）に応じて、上記列車に接続されている複数のカメラ（例えば、カメラ１３０〜１３９）から上記車両情報制御装置に接続されている表示装置（例えば、運転台表示器１１２）に表示する画像のカメラを選定することにより、上記車両情報制御装置の通信に係るデータのデータ量を制御（例えば、カメラに画像データの送信許可を与えるように制御、各車両情報制御装置１１１に記憶された画像データを取得するように制御）する制御部（例えば、制御部２００）を備える、ことを特徴とする。
【０１０４】
上述した構成によれば、例えば、列車の運用状態に応じてカメラを選定し、表示する必要のない画像データの通信を抑止することで、不要な画像データが通信網に大量に流れることにより、乗務員が確認したい画像が欠落する事態を回避できるようになる。
【０１０５】
また、例えば、上記表示装置に表示される画面（例えば、運用支援カメラ画像表示画面８００）には、上記列車の運用状態において、主として用いられる第１の表示領域（例えば、メイン画像表示領域８０１）と、従として用いられる第２の表示領域（例えば、サブ画像表示領域８０２）とが設けられ、上記運行情報と上記操作情報と上記動作情報とに応じて規定され、上記第１の表示領域または上記第２の表示領域が対応付けられ、上記表示装置に表示する画像を特定可能な特定情報（例えば、カメラ選定テーブル３００）を有し、上記制御部は、上記特定情報に基づいて、上記第１の表示領域に表示する画像のデータ量を上記第２の表示領域に表示する画像のデータ量より優先する（例えば、画像の通信用に割り当てられているデータ帯域におさめるように、メイン画像に用いるデータ量を決定してから、サブ画像に用いるデータ量を決定する）ことで、上記車両情報制御装置が通信する画像のデータ量を、画像の通信用に割り当てられているデータ帯域におさめる（ステップＳ５０３〜ステップＳ５１１を参照）、ことを特徴とする。
【０１０６】
上述した構成によれば、例えば、列車の運用状態に応じて画像に優先順位をつけることで、優先順位の高いメイン画像が欠落してしまう事態を極力回避できるようになる。
【０１０７】
また、例えば、上記制御部は、画像の通信用に割り当てられているデータ帯域におさまるデータ量を、特定したカメラに通知し、通知を受けたカメラは、通知されたデータ量の画像を上記制御部に送信する、ことを特徴とする。
【０１０８】
上述した構成によれば、例えば、画像の通信用に割り当てられているデータ帯域におさまるデータ量の画像データが通信されるので、列車の制御に用いるデータ等の通信に影響を与えることなく、画像データの通信を行うことができる。
【０１０９】
また、例えば、上記表示装置は、上記列車の操作者が乗車する車両に設けられ、上記制御部は、特定したカメラの画像を上記表示装置に送信し、上記表示装置は、受信した画像を表示する、ことを特徴とする。
【０１１０】
上述した構成によれば、例えば、操作者は、列車の運用状態に応じた画像を表示装置で確認でき、各種の操作を行うことができる。
【０１１１】
また上述した構成については、本発明の要旨を超えない範囲において、適宜に、変更したり、組み替えたり、組み合わせたり、省略したりしてもよい。
【０１１２】
なお、本発明は、上記した実施の形態に限定されるものではなく、様々な変化例が含まれる。また、必ずしも説明した全ての構成を備えるものに限定されるものではない。
【符号の説明】
【０１１３】
１００……車両情報制御システム、１１１……車両情報制御装置、２００……制御部。
【図１】
2020153019.tif 000003
【図２】
2020153019.tif 000004
【図３】
2020153019.tif 000005
【図４】
2020153019.tif 000006
【図５】
2020153019.tif 000007
【図６】
2020153019.tif 000008
【図７】
2020153019.tif 000009
【図８】
2020153019.tif 000010
【図９】
2020153019.tif 000011
【国際調査報告】
2020153019.tif 000012
2020153019.tif 000013
2020153019.tif 000014
2020153019.tif 000015